【手続補正書】
【提出日】平成17年4月27日(2005.4.27)
【手続補正１】
【補正対象書類名】特許請求の範囲
【補正対象項目名】全文
【補正方法】変更
【補正の内容】
【特許請求の範囲】
【請求項１】
式Ｉ
【化１】
2005513170.tif 000001
を有する１種または複数種の第１モノマー単位を含むポリマーであって、
式中、
Ｒは、各出現時に同じまたは異なるものであり得る、芳香環中の炭素原子上の置換基であり、かつ、水素、アルキル、アリール、ヘテロアルキル、ヘテロアリール、Ｆ、−ＣＮ、−ＯＲ１、−ＣＯ２Ｒ１、−ＣΨＨθＦλ、−ＯＣΨＨθＦλ、−ＳＲ１、−Ｎ（Ｒ１）２、−Ｐ（Ｒ１）２、−ＳＯＲ１、−ＳＯ２Ｒ１、−ＮＯ２、および式ＸＩＩ
【化２】
2005513170.tif 000002
を有するベータ−ジカルボニルから選択され、または
隣接するＲ基は一緒になって５員環シクロアルキル、６員環シクロアルキル、５員環アリール、６員環アリール、５員環ヘテロアリールおよび６員環ヘテロアリールから選択される環を形成することができ、
ここで、Ｒ１は、各出現時に同じまたは異なるものであり得るヘテロ原子上の置換基であり、かつ、アルキル、アリール、ヘテロアルキルおよびヘテロアリールから選択され、および
Ψは１と２０との間の整数であり、かつ、θおよびλは、下の等式Ａ１：
θ＋λ＝２Ψ＋１    （等式Ａ１）
を満足する整数であり、
Ｒ２は、各出現時に同じまたは異なるものであり得る、芳香環中にない炭素原子上の置換基であり、かつ、水素、アルキル、アリール、ヘテロアルキル、ヘテロアリールおよび−ＣΨＨθＦλから選択され、
ただし、式−ＣΨＦ２Ψ＋１を有する少なくとも１つのＲ置換基を含むことを特徴とするポリマー。
【請求項２】
請求項１に記載のポリマーを含む少なくとも１つの電気活性層（１２０、１３０、１４０）を含むことを特徴とする電子デバイス（１００）。
【請求項３】
請求項１に記載のポリマーを調製する方法であって、
式Ｉ
【化３】
2005513170.tif 000003
を有する少なくとも１種の第１モノマー単位を有するポリマーを形成する工程であって、
式中、
Ｒは、各出現時に同じまたは異なるものであり得る、芳香環中の炭素原子上の置換基であり、かつ、水素、アルキル、アリール、ヘテロアルキル、ヘテロアリール、Ｆ、−ＣＮ、−ＯＲ１、−ＣＯ２Ｒ１、−ＣΨＨθＦλ、−ＯＣΨＨθＦλ、−ＳＲ１、−Ｎ（Ｒ１）２、−Ｐ（Ｒ１）２、−ＳＯＲ１、−ＳＯ２Ｒ１、−ＮＯ２、および式ＸＩＩ
【化４】
2005513170.tif 000004
を有するベータ−ジカルボニルから選択され、または
隣接するＲ基は一緒になって５員環シクロアルキル、６員環シクロアルキル、５員環アリール、６員環アリール、５員環ヘテロアリールおよび６員環ヘテロアリールから選択される環を形成することができ、
ここで、
Ｒ１は、各出現時に同じまたは異なるものであり得るヘテロ原子上の置換基であり、かつ、アルキル、アリール、ヘテロアルキルおよびヘテロアリールから選択され、および
Ψは１と２０との間の整数であり、かつ、θおよびλは、下の等式Ａ１：
θ＋λ＝２Ψ＋１    （等式Ａ１）
を満足する整数であり、
Ｒ２は、各出現時に同じまたは異なるものであり得る、芳香環中にない炭素原子上の置換基であり、かつ、水素、アルキル、アリール、ヘテロアルキル、ヘテロアリールおよび−ＣΨＨθＦλから選択され、
ただし、ポリマーは、式−ＣΨＦ２Ψ＋１を有する少なくとも１つのＲ置換基を含む
工程と、
ルテニウム（ＩＩ）触媒の存在下において、ポリマーを、（ｉ）ヨウ化パーフルオロアルキルおよび（ｉｉ）塩化パーフルオロアルキルスルホニルから選択されるパーフルオロアルキル化剤で処理する工程と
を含むことを特徴とする方法。
【手続補正２】
【補正対象書類名】明細書
【補正対象項目名】００６８
【補正方法】変更
【補正の内容】
【００６８】
好ましい実施形態であると今のところ考えられるものに関して本発明を記載してきたが、本発明が開示された実施形態に限定されないことは理解されるべきである。それとは反対に、本発明は、添付の特許請求の精神および範囲内に含まれる様々な修正および同等な手はずを包含することを意図される。次の特許請求の範囲は、すべてのかかる修正ならびに同等な処方および機能を包含するように最も広範な解釈を授けられるべきである。
以下に、本発明の好ましい態様を示す。
１．  図１に示される式Ｉを有する１種または複数種の第１モノマー単位を含むポリマーであって、
式中、
Ｒは、各出現時に同じまたは異なるものであり得る、芳香環中の炭素原子上の置換基であり、かつ、水素、アルキル、アリール、ヘテロアルキル、ヘテロアリール、Ｆ、−ＣＮ、−ＯＲ１、−ＣＯ２Ｒ１、−ＣΨＨθＦλ、−ＯＣΨＨθＦλ、−ＳＲ１、−Ｎ（Ｒ１）２、−Ｐ（Ｒ１）２、−ＳＯＲ１、−ＳＯ２Ｒ１、−ＮＯ２、および図１２に示される式ＸＩＩを有するベータ−ジカルボニルから選択され、または
隣接するＲ基は一緒になって５員環シクロアルキル、６員環シクロアルキル、５員環アリール、６員環アリール、５員環ヘテロアリールおよび６員環ヘテロアリールから選択される環を形成することができ、
ここで、Ｒ１は、各出現時に同じまたは異なるものであり得るヘテロ原子上の置換基であり、かつ、アルキル、アリール、ヘテロアルキルおよびヘテロアリールから選択され、および
Ψは１と２０との間の整数であり、かつ、θおよびλは、下の等式Ａ１：
θ＋λ＝２Ψ＋１    （等式Ａ１）
を満足する整数であり、
Ｒ２は、各出現時に同じまたは異なるものであり得る、芳香環中にない炭素原子上の置換基であり、かつ、水素、アルキル、アリール、ヘテロアルキル、ヘテロアリールおよび−ＣΨＨθＦλから選択され、
ただし、式−ＣΨＦ２Ψ＋１を有する少なくとも１つのＲ置換基を含むことを特徴とするポリマー。
２．  少なくとも１種の第２モノマー単位をさらに含むポリマーであって、該第２モノマー単位は、（ｉ）図１に示される式Ｉを有する芳香族基、（ｉｉ）図２に示される式ＩＩを有する芳香族基、（ｉｉｉ）図６に示される式ＩＩＩを有する６員環複素芳香族基、（ｉｖ）図７に示される式ＩＶを有する５員環複素芳香族基、（ｖ）図８に示される式Ｖを有する芳香族基、（ｖｉ）図９に示される式ＶＩから式ＶＩＩＩ、および図１０に示される式ＩＸから式ＸＩを有する二価の縮合環芳香族基、ならびに（ｖｉｉ）それらの組合せから選択され、
ここで、
式ＩＩ、ＩＩＩ、ＩＶ、Ｖ、ＶＩ、ＶＩＩ、ＶＩＩＩおよびＩＸのそれぞれにおいて：
Ｒ、Ｒ１、Ｒ２、Ψ、θおよびλは上に定義された通りであり、
Ｅは、各出現時に同じまたは異なるものであることができ、かつ、単結合またはアリーレンおよびヘテロアリーレンから選択される結合基であり、
式ＩＶにおいて：
Ａは各出現時に独立してＣまたはＮであり、かつ、γは０または１もしくは２から選択される整数であり、ここで、両ＡがＮである場合、γは０であり、またはＡの１つがＮでありかつＡの１つがＣである場合、γは１であり、または両ＡがＣである場合、γは２であり、
ＱはＯ、Ｓ、ＳＯ２またはＮＲ１であり（ここで、
Ｒ１は、各出現時に同じまたは異なるものであり得るヘテロ原子上の置換基であり、かつ、アルキル、アリール、ヘテロアルキルおよびヘテロアリールから選択される）、
式Ｖにおいて：
Ｑ１はカルボニル基、Ｏ、Ｓ、ＳＯ２、またはＮＲ１であり（ここで、
Ｒ１は、各出現時に同じまたは異なるものであり得るヘテロ原子上の置換基であり、かつ、アルキル、アリール、ヘテロアルキルおよびヘテロアリールから選択される）、
ＷはＨ、アルキルもしくはヘテロアルキルであり、またはＷの両方が一緒になって１つの単結合を表すことができ、
式ＶＩにおいて：
２つのＥは１，４−、１，５−、１，８−、２，３−、または２，６−位にあり、
式ＶＩＩにおいて：
２つのＥは１，４−、１，５−、１，８−、２，３−、２，６−、または９，１０−位にあり、
式ＶＩＩＩにおいて：
第１のＥは１、２、または３位にあり、第２のＥは６、７、または８位にあり、
式ＩＸにおいて：
第１のＥは２、３、または４位にあり、第２のＥは７、８、または９位にあり、ならびに、
式ＸＩＩにおいて：
Ｒ３は、水素、アルキル、アリール、ヘテロアルキルおよびヘテロアリールから選択され、
δは０または１から１２の整数である
ことを特徴とする１．に記載のポリマー。
３．  少なくとも１種の第１モノマー単位の１種または複数種におけるＲ基の少なくとも１個が、直鎖および分枝のｎ−ブチル基、直鎖および分枝のイソブチル基、直鎖および分枝のペンチル基、オレフィン性不飽和ありまたはなしのヘキシル基およびオクチル基、フェニル基、チオフェン基、カルバゾール基、アルコキシ基、フェノキシ基ならびにシアノ基から独立して選択されることを特徴とする２．に記載のポリマー。
４．  少なくとも１種の第１モノマー単位の１種または複数種におけるＲ基の少なくとも１個が、Ｈ、Ｃ６〜Ｃ１２アルコキシ、フェノキシ、Ｃ６〜Ｃ１２アルキル、フェニルおよびシアノから独立して選択されることを特徴とする２．に記載のポリマー。
５．  少なくとも１種の第２モノマー単位の１種または複数種が式ＩＩ（ａ）からＩＩ（ｚ）、ＩＩＩ（ａ）からＩＩＩ（ｇ）、ＩＶ（ａ）からＩＶ（ｈ）、Ｖ（ａ）からＶ（ｅ）、ＶＩ（ａ）からＶＩ（ｄ）、およびＶＩＩ（ａ）から選択され、
ここで、
式ＩＩ（ｖ）からＩＩ（ｙ）、ＩＶ（ａ）、Ｖ（ａ）、およびＶ（ｂ）において：
Ｒは、式Ｉ、ＩＩ、ＩＩＩ、ＩＶ、Ｖ、ＶＩ、ＶＩＩ、ＶＩＩＩからＸＩのそれぞれについて上に記載されたようなものであり、
式ＩＶ（ｈ）において：
Ｒ１は、各出現時に同じまたは異なるものであり得るヘテロ原子上の置換基であり、かつ、アルキル、アリール、ヘテロアルキルおよびヘテロアリールから選択され、および
式Ｖ（ｅ）において：
Ｒ１は、各出現時に同じまたは異なるものであり得るヘテロ原子上の置換基であり、かつ、アルキル、アリール、ヘテロアルキルおよびヘテロアリールから選択される
ことを特徴とする２．に記載のポリマー。
６．  少なくとも１種の第２モノマー単位が式ＩＩを有し、
式中、Ｒは
水素、
アルキル、
アリール、
ヘテロアルキル、
ヘテロアリール、
Ｆ、
−ＣＮ、
−ＮＯ２、
図１２に示される式ＸＩＩを有するベータ−ジカルボニル、
−ＣΨＨθＦλ、
−ＯＣΨＨθＦλ、および
−Ｐ（Ｒ１）２、−ＳＯＲ１、−ＯＲ１、−ＣＯ２Ｒ１、−ＳＲ１、−Ｎ（Ｒ１）２、および−ＳＯ２Ｒ１から選択され、
ここで、Ｒ１は１〜２０個の炭素の直鎖もしくは分枝アルキルまたは直鎖もしくは分枝ヘテロアルキルである
ことを特徴とする１．に記載のポリマー。
７．  少なくとも１種の第２モノマー単位の１種または複数種が、式ＩＩを有し、
式中、Ｒが、
１〜１２個の炭素原子を有するアルキル基、
１〜１２個の炭素原子を有する部分的にまたは完全にフッ素化されたアルキル基、特にＣＦ３、
６〜２０個の炭素原子を有するアリール基、
４〜２０個の炭素原子を有し、かつ、Ｏ、Ｓ、またはＮで置換されたヘテロアリール基、
１〜１２個の炭素原子を有するアルコキシ基、および
３〜１５個の炭素原子を有するエステル
から選択される
ことを特徴とする１．に記載のポリマー。
８．  芳香族基を含むエンドキャッピング基をさらに含むことを特徴とする１．〜７．のいずれか一項に記載のポリマー。
９．  １．〜７．のいずれか一項に記載のポリマーを含む少なくとも１つの電気活性層（１２０、１３０、１４０）を含むことを特徴とする電子デバイス（１００）。
１０．  少なくとも１つの電気活性層の１つまたは複数が光活性層（１３０）、または正孔注入／輸送層（１２０）、または電子注入／輸送層（１４０）であることを特徴とする９．に記載のデバイス。
１１．  デバイスが、発光デバイス、光検出器、および光起電性デバイスから選択されることを特徴とする９．に記載のデバイス。
１２．  １．〜７．のいずれか一項に記載のポリマーを調製する方法であって、
図１に示される式Ｉを有する少なくとも１種の第１モノマー単位を有するポリマーを形成する工程であって、
式中、
Ｒは、各出現時に同じまたは異なるものであり得る、芳香環中の炭素原子上の置換基であり、かつ、水素、アルキル、アリール、ヘテロアルキル、ヘテロアリール、Ｆ、−ＣＮ、−ＯＲ１、−ＣＯ２Ｒ１、−ＣΨＨθＦλ、−ＯＣΨＨθＦλ、−ＳＲ１、−Ｎ（Ｒ１）２、−Ｐ（Ｒ１）２、−ＳＯＲ１、−ＳＯ２Ｒ１、−ＮＯ２、および図１２に示される式ＸＩＩを有するベータ−ジカルボニルから選択され、または
隣接するＲ基は一緒になって５員環シクロアルキル、６員環シクロアルキル、５員環アリール、６員環アリール、５員環ヘテロアリールおよび６員環ヘテロアリールから選択される環を形成することができ、
ここで、
Ｒ１は、各出現時に同じまたは異なるものであり得るヘテロ原子上の置換基であり、かつ、アルキル、アリール、ヘテロアルキルおよびヘテロアリールから選択され、および
Ψは１と２０との間の整数であり、かつ、θおよびλは、下の等式Ａ１：
θ＋λ＝２Ψ＋１    （等式Ａ１）
を満足する整数であり、
Ｒ２は、各出現時に同じまたは異なるものであり得る、芳香環中にない炭素原子上の置換基であり、かつ、水素、アルキル、アリール、ヘテロアルキル、ヘテロアリールおよび−ＣΨＨθＦλから選択され、
ただし、ポリマーは、式−ＣΨＦ２Ψ＋１を有する少なくとも１つのＲ置換基を含む
工程と、
ルテニウム（ＩＩ）触媒の存在下において、ポリマーを、（ｉ）ヨウ化パーフルオロアルキルおよび（ｉｉ）塩化パーフルオロアルキルスルホニルから選択されるパーフルオロアルキル化剤で処理する工程と
を含むことを特徴とする方法。